(57)【要約】【課題】本発明は、ＥＦ継手のターミナルピンにＥＦコントローラからのコネクタを接続する場合に、付近に障害物があってもコネクタが容易に接続できるようにしたＥＦコントローラーコネクタ用アダプタを実現することを目的とする。【解決手段】円筒形で且つ外周に環状の溝２３ａが形成された嵌合部２３と、該嵌合部２３の中心にピン状の電極２４を有するコネクタ２０の、前記嵌合部２３に嵌合して用いられるアダプタであって、前記コネクタ２０の嵌合部２３に嵌合する嵌合孔３２が形成されたアダプタケース２７，４０と、該アダプタケース２７，４０から前記嵌合孔３２の中心に設けられて前記コネクタの電極２４に接続する第１接続ピン２８と、該第１接続ピン２８に接続し且つ該第１接続ピン２８に対して直角方向に突き出てＥＦ継手のターミナルピンに接続する第２接続ピン２９とを具備して成るように構成する。【選択図】      図１
2005011567.tif 000002
【特許請求の範囲】
【請求項１】
円筒形で且つ外周に環状の溝（２３ａ）が形成された嵌合部（２３）と、該嵌合部（２３）の中心にピン状の電極（２４）を有するコネクタ（２０）の、前記嵌合部（２３）に嵌合して用いられるアダプタであって、
前記コネクタ（２０）の嵌合部（２３）に嵌合する嵌合孔（３２）が形成されたアダプタケース（２７，４０）と、該アダプタケース（２７，４０）から前記嵌合孔（３２）の中心に設けられて前記コネクタの電極（２４）に接続する第１接続ピン（２８）と、該第１接続ピン（２８）に接続し且つ該第１接続ピン（２８）に対して直角方向に突き出てＥＦ継手のターミナルピンに接続する第２接続ピン（２９）とを具備して成ることを特徴とするＥＦコントローラーコネクタ用アダプタ。
【請求項２】
前記アダプタケース（２７）には、その嵌合孔（３２）を中心にして上下にそれぞれアリ溝（３５）が形成され、該アリ溝（３５）の底部には小孔（３６）が形成され、該小孔（３６）には前記コネクタ（２０）の環状の溝（２３ａ）に係脱可能なボール（３０）が保持され、前記アリ溝（３５）には前記ボール（３０）を前記コネクタ（２０）の環状の溝（２３ａ）に係脱させる段差を有するスライダ（３１）が設けられて成ることを特徴とする請求項１記載のＥＦコントローラーコネクタ用アダプタ。
【請求項３】
前記アダプタケース（４０）には、その両側壁に前面と平行し且つ前記嵌合孔（３２）に開口する深さの溝（４１）が形成され、該溝（４１）には前記コネクタ（２０）の環状の溝（２３ａ）に係脱可能なばね手段が設けられて成ることを特徴とする請求項１記載のＥＦコントローラーコネクタ用アダプタ。
【請求項４】
前記ばね手段は、弾性を有する線材により門形状に折曲形成され、且つ両脚部が内側に緩く“く”の字状に折曲されたばね（４２）であることを特徴とする請求項３記載のＥＦコントローラーコネクタ用アダプタ。
【請求項５】
前記ばね手段は、弾性を有する線材により四角形状に折曲形成され、且つその上辺にはループ（４４ａ）が形成され、下辺は線材が互いに重なり合い且つ下方に折曲されてつまみ部（４４ｂ）が形成されたばね（４４）であることを特徴とする請求項３記載のＥＦコントローラーコネクタ用アダプタ。
【発明の詳細な説明】
【０００１】
【発明の属する技術分野】
本発明はエレクトロフュージョン（以下ＥＦとする）コントローラーのコネクタ用アダプタに関する。詳しくは、２本のプラスチック管をエレクトロフュージョン継手（以下ＥＦ継手という）と該ＥＦ継手に電流を供給するＥＦコントローラーとを接続する場合に用いるＥＦコントローラーコネクタ用アダプタに関する。
【０００２】
【従来の技術】
従来、上下水道やガス管などのプラスチック管による配管工事において、プラスチック管の接続にはエレクトロフュージョン方式（以下ＥＦ方式という）という接続方法が採用されている。この、ＥＦ方式によるプラスチック管の接続方法を図７により説明する。同図（ａ）はＥＦ継手にプラスチック管を挿入した状態であり、同図において、１，１′は接続すべき２本のプラスチック管、２はＥＦ継手である。このＥＦ継手は予めコイル状の電熱線３が埋設されたプラスチック管であって、両端にターミナルピン４，５が設けられ、該ターミナルピン４，５に前記電熱線３の両端部が接続されている。
【０００３】
そしてＥＦ継手２の両端から接続すべきプラスチック管１，１′をストッパ２ａに突き当たるまで挿入しておき、ターミナルピン４，５に（ｂ）図の如くＥＦコントローラー６からのコード７，７′をコネクタ８，８′により接続し、電源コード９を電源に接続して電源を入れ、そのＥＦ継手２に適した電流を所定時間通電する。これにより電熱線３は発熱し、ＥＦ継手２の内面及びプラスチック管１，１′の外面を溶融して両者を接続するのである。
【０００４】
【特許文献１】
特開平９−２４２９６９号公報
【０００５】
【発明が解決しようとする課題】
上記のような従来のＥＦ継手による接続方法においては、複数のメーカから販売されるＥＦ継手がそれぞれターミナルピンの位置が異なっており、コネクタをＥＦ継手接続しようとしたとき、コネクタがＥＦ継手またはその付近の構造物に干渉して取り付けが不可能になる場合があるという問題がった。また同一ＥＦ継手であっても付近に障害物がある場合には該障害物にコネクタが干渉してコネクタ接続が不可能になるという問題もある。
【０００６】
本発明は、上記従来の問題点に鑑み、ＥＦ継手のターミナルピンにＥＦコントローラからのコネクタを接続する場合に、付近に障害物があってもその障害物を避けてコネクタ接続ができるようにしたＥＦコントローラーコネクタ用アダプタを実現することを目的とする。
【０００７】
【課題を解決するための手段】
上記目的を達成するため、本発明の請求項１は、円筒形で且つ外周に環状の溝２３ａが形成された嵌合部２３と、該嵌合部２３の中心にピン状の電極２４を有するコネクタ２０の、前記嵌合部２３に嵌合して用いられるアダプタであって、前記コネクタ２０の嵌合部２３に嵌合する嵌合孔３２が形成されたアダプタケース２７，４０と、該アダプタケース２７，４０から前記嵌合孔３２の中心に設けられて前記コネクタの電極２４に接続する第１接続ピン２８と、該第１接続ピン２８に接続し且つ該第１接続ピン２８に対して直角方向に突き出てＥＦ継手のターミナルピンに接続する第２接続ピン２９とを具備して成ることを特徴とする。
【０００８】
また、請求項２は、前記アダプタケース２７には、その嵌合孔３２を中心にして上下にそれぞれアリ溝３５が形成され、該アリ溝３５の底部には小孔３６が形成され、該小孔３６には前記コネクタ２０の環状の溝２３ａに係脱可能なボール３０が保持され、前記アリ溝３５には前記ボール３０を前記コネクタ２０の環状の溝２３ａに係脱させる段差を有するスライダ３１が設けられて成ることを特徴とする。
【０００９】
また、請求項３は、前記アダプタケース４０には、その両側壁に前面と平行し且つ前記嵌合孔３２に開口する深さの溝４１が形成され、該溝４１には前記コネクタ２０の環状の溝２３ａに係脱可能なばね手段が設けられて成ることを特徴とする。また、請求項４は、前記ばね手段は、弾性を有する線材により門形状に折曲形成され、且つ両脚部が内側に緩く“く”の字状に折曲されたばね４２であることを特徴とする。また、請求項５は、前記ばね手段は、弾性を有する線材により四角形状に折曲形成され、且つその上辺にはループ４４ａが形成され、下辺は線材が互いに重なり合い且つ下方に折曲されてつまみ部４４ｂが形成されたばね４４であることを特徴とする。
【００１０】
この構成を採ることにより、ＥＦ継手のターミナルピンにＥＦコントローラからのコネクタを接続する場合に、付近に障害物があってもコネクタが容易に接続できるようにしたＥＦコントローラーコネクタ用アダプタが得られる。
【００１１】
【発明の実施の形態】
図１は本発明のＥＦコントローラーコネクタ用アダプタの第１の実施の形態をコネクタに結合した状態を示す図で、（ａ）は正面図、（ｂ）は（ａ）図のｂ−ｂ線における断面図、（ｃ）は斜視図である。同図において２０はコネクタ、２１はアダプタである。本実施の形態のアダプタ２１は同図に示すように、ＥＦコントローラのコネクタ２０に接続される。
【００１２】
ＥＦコントローラーのコネクタ２０は、樹脂製で断面Ｌ字形のコネクタケース２２が設けられ、該コネクタケース２２の下部先端にはＥＦ継手のターミナルに嵌合する円筒形の嵌合部２３が形成されている。そして該嵌合部の外周には環状の溝２３ａが形成され、孔部の中心にはピン状の電極２４が設けられている。そして該電極２４の一端はＥＦコントローラーのコードに接続されるように露出されている。なお、図において符号２５はコード支持部であり、２６はキャップである。
【００１３】
このようなコネクタ２０に接続される本実施の形態のアダプタ２１は、アダプタケース２７と、前記コネクタ２０の電極２４に嵌合接続する第１接続ピン２８と、該第１接続ピン２８に固定され且つＥＦ継手のターミナルピンに接続する第２接続ピン２９と、コネクタ２０の嵌合部２３に係脱可能に係合するボール３０と、該ボール３０の位置を制御するスライダ３１とよりなる。
【００１４】
そして、アダプタケース２７は図２に示すように樹脂で直方体状に形成され、その中心には前記コネクタ２０の嵌合部２３の外周に嵌合する嵌合孔３２と、該嵌合孔３２に接続して前記第１接続ピン２８を支持する孔３３が形成され、該孔３３に第１接続ピン２８が挿入保持される。また、アダプタケース２７の下部には、前記第１接続ピン２８に対して直角方向に前記第２接続ピン２９を挿通する孔３４と、該孔３４に挿入されて前記第１接続ピン２８に接続固定された第２接続ピン２９の先端部を囲む円筒部３５が形成され、該孔３４に挿通して第２接続ピン２９が前記第１接続ピン２８に連結される。
【００１５】
また、アダプタケース２７の上面及び下面には、所定長さのアリ溝３６がそれぞれ形成され、該アリ溝３６の底部にはボール３０の一部を突出させて該ボール３０を保持できる突起３７ａが形成された孔３７が穿設されている。また、前記アリ溝３６には図１（ｂ）に示すように、ボール３０の位置を制御する段差３８を有するスライダ３１が摺動可能に設けられている。このスライダ３１の段差３８の寸法は、図３（ａ）に示すように、Ａ部はボール３０がコネクタの溝２３ａに落ち込んだ状態を保持でき、Ｂ部はボール３０がコネクタの溝２３ａから離脱できる寸法となっている。
【００１６】
このように構成された本実施の形態の作用を図３により説明する。同図は図１（ｂ）のＢ部拡大図である。そして、（ａ）図はコネクタ２０の嵌合部２３にアダプタ２１の嵌合孔３２を嵌合させ、且つスライダ３１の段差３８のＡ部でボール３０を溝２３ａ内に固定した状態である。この状態では、アダプタ２１はコネクタ２０の嵌合部２３から抜け出さないように固定されているが、ボール３０は溝２３ａ内を円周方向に移動可能であるため、アダプタ２１はコネクタ２０に対して回転できる。これによりコネクタ２０が他の障害物に干渉する場合でもアダプタ２１に対して回転させて干渉を回避させることができる。また、この状態ではコネクタ２０の電極２４とアダプタ２１の第１接続ピン２８とは電気的に接続されている。
【００１７】
次に、図３（ｂ）の如く、スライダ３１をストッパ３９に突き当たるまで矢印Ｙ方向に移動させると、スライダ３１の段差３８のＢ部がボール３０の上部に位置するようになる。これによりボール３０は溝２３ａから抜け出すことができるため、コネクタ２０とアダプタ２１を分離することができる。なお、コネクタとアダプタを接続させる場合は上記の逆を行えばよい。
【００１８】
次に本発明のＥＦコントローラーコネクタ用アダプタの第２の実施の形態を図４〜６により説明する。図４はアダプタケース４０を示す図で、（ａ）は平面図、（ｂ）は正面図、（ｃ）は側面図である。本実施の形態が第１の実施の形態と異なるところは、コネクタとの接続固定方法が異なるのみで、その他は同様である。従って異なるところのみを説明する。第１の実施の形態においては、コネクタとの接続をボールによって行っていたが、本実施の形態ではボールの代わりにばねを用いている。
【００１９】
従って、本実施の形態は、図４に示すようにアリ溝及びボールが挿入される孔はなく、前面と平行に左右側壁に溝４１が形成されている。該溝４１の位置はコネクタと接続した時、該コネクタの嵌合部２３に形成された環状の溝２３ａ（図２参照）と同位置であり、前記溝４１の深さは嵌合孔３２に開口しておりコネクタ２０と接続した時、その嵌合部２３に形成された環状の溝２３ａの底部に達する寸法である。また、溝４１の幅は後述するばね手段を構成するばねの太さよりやや大きいものとする。
【００２０】
図５は第２の実施の形態におけるばね手段の第１実施例を示す図で、（ａ）はばねの正面図、（ｂ）はばねをアダプタケースに組み付けた状態の正面図、（ｃ）はその側面図である。本実施例のばね４２は、弾性を有する線材により前記アダプタケース４０の溝４１に嵌合できる大きさの門形状に形成され、その両脚は内側に緩く“く”の字状に折曲されている。このように形成されたばね４２は（ｂ）（ｃ）図のように第２の実施の形態のアダプタケース４０の溝４１に上方より挿入して組み付けられる。
【００２１】
このように組み付けられたアダプタはコネクタ２０に接続したとき、コネクタの嵌合部２３に形成された環状の溝２３ａにばね４２の“く”の字状部分が嵌合し、両者を接続することができる。この場合両者は互いに回転することが可能であり、ＥＦ継手にアダプタを介してコネクタ２０を接続した時、コネクタ２０が他の障害物に干渉する場合でもアダプタ及びコネクタ２０を回転させて干渉を回避させることができる。
【００２２】
また図６は、第２の実施の形態におけるばね手段の第２実施例を示す図で、（ａ）はばねの正面図、（ｂ）はばねの側面図、（ｃ）はばねをアダプタケースに組み付けた状態の正面図、（ｄ）はその側面図である。本実施例のばね４４は弾性を有する線材で前記アダプタケース４０の溝４１に嵌合できる大きさの矩形状に形成され、その上辺にはばね性を大きくするためのループ４４ａが形成され、下辺はばねの両端が重ねられ、且つ、それぞれの先端は下方に折曲されてつまみ４４ｂとなっている。
【００２３】
このように形成されたばね４４はつまみ４４ｂをつまんで左右の辺を広げて図６（ｃ）及び図６（ｄ）に示すようにアダプタケース４０の溝４１に挿入して組み付けられる。このように組み付けられたアダプタはコネクタ２０に接続したとき、コネクタの嵌合部２３に形成された環状の溝２３ａにばね４４の左右の辺が嵌合し、両者を接続することができる。この場合両者は互いに回転することが可能である。従って前実施例と同様な作用効果を有する。
【００２４】
【発明の効果】
本発明のＥＦコントローラーコネクタ用アダプタに依れば、コネクタを、アダプタを介してＥＦ継手に接続した時、アダプタをＥＦ継手のターミナルピンに対して回転することができ、また、コネクタをアダプタに対して回転することができるため、他の障害物に対して干渉しないように回避することが極めて容易となる。
【図面の簡単な説明】
【図１】本発明のＥＦコントローラーコネクタ用アダプタの第１の実施の形態をコネクタに接続した状態を示す図で、（ａ）は正面図、（ｂ）は（ａ）図のｂ−ｂ線における断面図、（ｃ）は斜視図である。
【図２】本発明のＥＦコントローラーコネクタ用アダプタの第１の実施の形態におけるアダプタケースを示す図で、（ａ）は平面図、（ｂ）は正面図、（ｃ）は（ｂ）図のｃ−ｃ線における断面図、（ｄ）は（ｃ）図のＤ部拡大図である。
【図３】本発明のＥＦコントローラーコネクタ用アダプタの第１の実施の形態の作用を説明するための図で、図１（ｂ）のＢ部拡大図である。
【図４】本発明のＥＦコントローラーコネクタ用アダプタの第２の実施の形態におけるアダプタケースを示す図で、（ａ）は平面図、（ｂ）は正面図、（ｃ）は側面図である。
【図５】本発明のＥＦコントローラーコネクタ用アダプタの第２の実施の形態におけるばね手段の第１実施例を示す図で、（ａ）は、ばねを示す図、（ｂ）及び（ｃ）は、ばねをアダプタケースに組み付けた状態を示す図である。
【図６】本発明のＥＦコントローラーコネクタ用アダプタの第２の実施の形態におけるばね手段の第２実施例を示す図で、（ａ）及び（ｂ）は、ばねを示す図、（ｃ）及び（ｄ）は、ばねをアダプタケースに組み付けた状態を示す図である。
【図７】従来のＥＦ方式によるプラスチック管の接続方法を説明するための図である。
【符号の説明】
２０，４０…コネクタ
２１…アダプタ
２２…コネクタケース
２３…嵌合部
２４…電極
２５…コード支持部
２６…キャップ
２７…アダプタケース
２８…第１接続ピン
２９…第２接続ピン
３０…ボール
３１…スライダ
３１ａ…段差
３２…嵌合孔
３３，３４，３７…孔
３５…円筒部
３６…アリ溝
３７ａ…突起
３８…段差
３９…ストッパ
４１…溝
４２，４４…ばね
４４ａ…ループ
４４ｂ…つまみ部
【図１】
2005011567.tif 000003
【図２】
2005011567.tif 000004
【図３】
2005011567.tif 000005
【図４】
2005011567.tif 000006
【図５】
2005011567.tif 000007
【図６】
2005011567.tif 000008
【図７】
2005011567.tif 000009